(57)【要約】【課題】聴取者等が、効率良く、放送コンテンツを聴取等することができる放送受信装置を提供しようとするものである。【解決手段】ラジオ受信機１は、復調信号をレコード信号として記録するための第１の記憶手段１３と、レコード信号を記録するレコード時間枠を表すシフト元時間データと、レコード信号を再生する再生時間枠を表すシフト先時間データとのデータ組を含むタイムシフトデータを格納するための第２の記憶手段１６と、現在時刻を表すカレント時間を出力するように構成したタイマー手段１５と、復調信号又はレコード信号を選択的に入力して再生するように構成した出力手段１２とを有している。ラジオ受信機１は、再生時間枠内にレコード信号を再生すると共に、再生時間枠外では復調信号を再生するように構成してある。【選択図】図１
2006352809.tif 000002
【特許請求の範囲】
【請求項１】
予定された放送スケジュールに沿って送信される放送を受信し、放送コンテンツを外部に提示する放送受信装置であって、
上記放送を受信して復調信号を取得するように構成した受信手段と、
上記復調信号をレコード信号として記録するための第１の記憶手段と、
上記レコード信号を記録するために上記復調信号を取得する時間帯であるレコード時間枠を表すシフト元時間データと、上記レコード信号を再生する時間帯である再生時間枠を表すシフト先時間データとのデータ組を含むタイムシフトデータを格納するための第２の記憶手段と、
現在時刻を表すカレント時間を出力するように構成したタイマー手段と、
上記復調信号又は上記レコード信号を選択的に入力して再生することにより、上記放送コンテンツを提示するように構成した出力手段と、
該出力手段に対して入力する入力信号を切り換える切換手段とを有しており、
該切換手段は、上記カレント時間が上記タイムシフトデータに基づく上記再生時間枠内にあるときに上記レコード信号を上記入力信号として設定すると共に、上記カレント時間が上記再生時間枠外にあるときに上記復調信号を上記入力信号として設定するように構成してあり、
上記第１の記憶手段は、上記カレント時間が上記タイムシフトデータに基づく上記レコード時間枠内にあるときに上記レコード信号を記録するように構成してあることを特徴とする放送受信装置。
【請求項２】
請求項１において、上記第１の記憶手段は、上記カレント時間が上記再生時間枠を経過した後、該再生時間枠に対応する上記レコード信号を消去するように構成してあることを特徴とする放送受信装置。
【請求項３】
請求項２において、上記再生時間枠に再生した上記レコード信号を保存するための消去キャンセルボタンを有しており、上記第１の記憶手段は、上記再生時間枠における上記レコード信号の再生中に上記消去キャンセルボタンが操作された場合を除いて、上記カレント時間が上記再生時間枠を経過した後、該再生時間枠に対応する上記レコード信号を消去するように構成してあることを特徴とする放送受信装置。
【請求項４】
請求項１〜３のいずれか1項において、上記放送受信装置は、上記出力手段の動作をオンオフするための出力スイッチを備えていると共に、上記カレント時間が上記再生時間枠内にあるときには、上記出力スイッチをＯＮ状態に設定して上記レコード信号を再生するように構成してあることを特徴とする放送受信装置。
【請求項５】
請求項１〜３のいずれか1項において、上記放送受信装置は、上記出力手段の動作をオンオフするための出力スイッチを備えていると共に、上記カレント時間が上記再生時間枠内にあり、かつ、上記出力スイッチがＯＮ状態に設定されていれば、上記レコード信号を再生するように構成してあることを特徴とする放送受信装置。
【請求項６】
請求項５において、上記再生時間枠の先頭時間から所定の経過時間が経過し、上記カレント時間が上記再生時間枠の中途にあるときに上記出力スイッチがＯＮ状態に切り換えられた場合には、上記レコード信号の先頭位置を基準にして上記所定の経過時間分だけ進めた時間地点を、上記レコード信号の再生開始位置として設定するように構成してあることを特徴とする放送受信装置。
【請求項７】
請求項１〜６のいずれか１項において、上記放送受信装置は、上記レコード時間枠が重複する２以上の複数の受信チャンネルを受信してそれぞれ上記復調信号を取得し得るように構成してあり、上記第１の記憶手段は、上記各復調信号にそれぞれ対応する上記レコード信号を、並列して記録し得るように構成してあることを特徴とする放送受信装置。
【請求項８】
請求項１〜７のいずれか１項において、上記カレント時間が上記再生時間枠の所定時間前になったとき、予告情報を提示するように構成した予告手段を備えていることを特徴とする放送受信装置。
【請求項９】
請求項１〜８のいずれか１項において、上記出力手段は、上記レコード時間枠と上記再生時間枠との時間長さの比率に応じて、上記レコード信号を再生する速度を変更するように構成してあることを特徴とする放送受信装置。
【発明の詳細な説明】
【技術分野】
【０００１】
本発明は、放送を効率良く聴取あるいは視聴等するための放送受信装置に関する。
【背景技術】
【０００２】
ラジオ放送やテレビジョン放送などでは、予め定められたタイムスケジュールに沿って様々な放送コンテンツ（放送番組）が放送されている。このように提供者側で放送日時が定められている放送コンテンツを聴取または視聴等しようとした場合、従来は、聴取者等、放送の提供を受ける側が、放送コンテンツの放送日時に合わせて自分のスケジュールを調整する必要があった。そして、会社等の勤務時間帯や外せない用事などがある時間帯等が放送時間帯に重複する場合には、例えば、カセットレコーダやビデオレコーダ等のレコーダ装置が有するタイマー予約機能を活用して留守中の放送コンテンツを保存していた。
【０００３】
一方、放送コンテンツの保存の要請に対応する機器としては、例えば、２４時間分のラジオ放送を連続的に録音し得るように構成した大容量メモリ内蔵のラジオ受信機が提案されている（例えば、特許文献１参照。）。このラジオ受信機は、２４時間分のラジオ放送を録音しておくことで、聴取者の好きな時にいつでも聴取可能という、いわば、疑似的なオンデマンド放送を実現し得るものであった。
【０００４】
しかしながら、上記従来のレコーダ装置やラジオ受信機等では、保存した放送コンテンツを聴取等するタイミングが後回しになる傾向にあり、放送コンテンツを保存したこと自体を忘れてしまう場合がある。このような場合には、未聴取等の放送コンテンツが保存されたままになってしまうという課題がある。
【０００５】
【特許文献１】特開２００１−２５０３６８号公報
【発明の開示】
【発明が解決しようとする課題】
【０００６】
本発明は、上記の課題に対応してなされたものであり、予定されたタイムスケジュールで放送される放送コンテンツを受信する放送受信装置において、聴取者あるいは視聴者等が、自分が予定したスケジュールに従って、効率良く、放送コンテンツを聴取等できる放送受信装置を提供しようとするものである。
【課題を解決するための手段】
【０００７】
本発明は、予定された放送スケジュールに沿って送信される放送を受信し、放送コンテンツを外部に提示する放送受信装置であって、
上記放送を受信して復調信号を取得するように構成した受信手段と、
上記復調信号をレコード信号として記録するための第１の記憶手段と、
上記レコード信号を記録するために上記復調信号を取得する時間帯であるレコード時間枠を表すシフト元時間データと、上記レコード信号を再生する時間帯である再生時間枠を表すシフト先時間データとのデータ組を含むタイムシフトデータを格納するための第２の記憶手段と、
現在時刻を表すカレント時間を出力するように構成したタイマー手段と、
上記復調信号又は上記レコード信号を選択的に入力して再生することにより、上記放送コンテンツを提示するように構成した出力手段と、
該出力手段に対して入力する入力信号を切り換える切換手段とを有しており、
該切換手段は、上記カレント時間が上記タイムシフトデータに基づく上記再生時間枠内にあるときに上記レコード信号を上記入力信号として設定すると共に、上記カレント時間が上記再生時間枠外にあるときに上記復調信号を上記入力信号として設定するように構成してあり、
上記第１の記憶手段は、上記カレント時間が上記タイムシフトデータに基づく上記レコード時間枠内にあるときに上記レコード信号を記録するように構成してあることを特徴とする放送受信装置にある（請求項１）。
【０００８】
本発明の放送受信装置における上記第２の記憶手段は、上記復調信号を取得する時間帯である上記レコード時間枠を表す上記シフト元時間データと、記録した上記レコード信号を再生する時間帯である上記再生時間枠を表す上記シフト先時間データとのデータ組を含む上記タイムシフトデータを格納する。そして、上記放送受信装置は、上記カレント時間が上記レコード時間枠内にあるときに上記レコード信号を記録し、上記カレント時間が上記再生時間枠内にあるときに上記レコード信号の再生を予定する。
【０００９】
これにより、上記放送受信装置では、上記レコード時間枠内にリアルタイムに放送された放送コンテンツを、上記再生時間枠の時間帯にずらして（タイムシフト）提示できる。それ故、聴取者あるいは視聴者等は、上記再生時間枠として自ら予定したスケジュールに合わせて上記放送コンテンツの提供を受けることができる。さらに、聴取者等にあっては、例えば、従来のレコーダ装置とは異なり、記録済みの上記放送コンテンツの中から、目的の放送コンテンツを探索する必要がない。したがって、聴取者等は、自分が上記再生時間枠として設定した時間帯に、きっちりと、効率よく、上記放送コンテンツを聴取等できる。
【００１０】
以上のように、本発明の放送受信装置は、聴取者あるいは視聴者等が、自分が予定したスケジュールに従って、効率良く、放送コンテンツを聴取等できる優れた製品である。
【発明を実施するための最良の形態】
【００１１】
一般に、放送コンテンツをリアルタイムで聴取等するに当たっては、提供を受ける聴取者等の側が、上記放送スケジュールに対して自分の時間的なスケジュールを調整する必要がある。このことは、一見、不便にも感じられるが、その反面、聴取者等が、放送スケジュールに従って、きっちりと聴取等を完了できるという良い面がある。リアルタイムの放送を聴取等するに際して、放送スケジュールに合わせなければ、目的の放送コンテンツを逃してしまうかもしれないという適度な緊張感を伴う心理が有効に作用していると考えられる。
【００１２】
一方、録音したラジオ番組や、録画したテレビ番組など保存した放送コンテンツについては、聴取あるいは視聴等するタイミングがついつい後回しになり、結局、聴かずじまいあるいは観ずじまいになってしまうことがよくある。保存済みの放送コンテンツであれば、いつでも聴いたり観たりできるという安心感が、油断する心理を誘発するためと考えられる。
【００１３】
本発明の放送受信装置によれば、上記レコード時間枠から上記再生時間枠にタイムシフトして提示される上記放送コンテンツを聴取等する際にも、あたかもリアルタイムの放送を聴取等しているかのごとき感覚を感じることができる。それ故、上記放送受信装置によれば、上記再生時間枠として自ら予定したスケジュールに従って、きっちりと、効率良く、目的の放送コンテンツを聴取等することができる。
【００１４】
上記放送受信装置では、上記再生時間枠に提示する上記放送コンテンツの時間長さに応じて上記第１の記憶手段のメモリ容量を設定することができる。例えば、長時間に渡って連続記録する場合等と比べて、上記第１の記憶手段に要求されるメモリ容量を格段に抑制することができる。それ故、本発明の放送受信装置は、製品コストを抑制した魅力ある製品となる。
【００１５】
本発明において、上記放送としては、ラジオ放送や、テレビジョン放送や、文字放送や、これらを組み合わせた各種のものがある。また、不特定の人向けの放送のほか、会員等特定の人向けの放送であっても良い。さらに、上記放送の伝送形態としては、無線伝送や、有線伝送などが考えられる。また、上記復調信号としては、映像信号や、音声信号や、文字コード信号などが考えられる。この復調信号の形式としては、アナログ形式、デジタル形式のいずれであっても良い。なお、本発明の放送受信装置は、ラジオ放送やテレビ放送など公衆に向けて送信される放送のほか、私的な放送であって、かつ、予定されたスケジュールに従って放送されるものに利用することもできる。
【００１６】
上記放送がラジオ放送であって、上記放送受信装置が上記ラジオ放送を受信するためのラジオ受信機である場合には、本発明の作用効果が特に有効になる。ラジオ放送は、語学講座などの学習講座など、継続的な聴取によってその学習効果が高くなる放送コンテンツを比較的、多く有しているからである。
また、本発明における上記カレント時間とは、上記タイマー手段が、現在時刻として出力する時間を表すデータである。
【００１７】
上記第１の記憶手段は、アナログ式のものであっても、デジタル式のものであってもよい。上記第１の記憶手段としては、ハードディスク、光磁気ディスク、磁気テープなどの磁気媒体のほか、ＲＡＭ、フラッシュメモリなどの半導体記憶素子や、ＤＶＤ−ＲＷ、ＣＤ−ＲＷ等の光学的な記憶媒体など、様々なものを用いることもできる。
【００１８】
上記レコード信号とは、上記復調信号に基づく信号であって、かつ、上記第１の記憶手段に記憶する信号である。このレコード信号としては、上記復調信号と同一の信号であっても良いが、上記復調信号を変換して生成した信号であっても良い。例えば、上記復調信号を基にして上記レコード信号を得るための変換としては、例えば、Ａ／Ｄ変換や、Ｄ／Ａ変換や、ＤＣＴ変換（離散コサイン変換）などのデータ圧縮変換などが考えられる。
【００１９】
上記タイムシフトデータは、例えば、上記放送受信装置が備えるユーザインターフェース手段等を利用して入力することができる。このほか、例えば、ＰＣ（パーソナルコンピュータ）や、ユーザインターフェース機能を有する別体のオペレーションユニット等を接続できるように上記放送受信装置に構成しておき、ＰＣやオペレーションユニット等の入力手段を利用して上記タイムシフトデータを入力することも可能である。
【００２０】
上記タイムシフトデータとしては、上記シフト元時間データと上記シフト先時間データとの上記データ組のほか、受信周波数等、上記受信チャンネルを指定するデータや、上記レコード信号を生成するためのデータ圧縮方法を指定するデータ、上記レコード信号をステレオとするかモノラルとするかを指定するデータ、上記再生時間枠における上記出力手段の音量や音質などを指定するためのデータなど、さまざまなものが考えられる。
【００２１】
上記第１の記憶手段の記憶容量を抑制するという観点に基づけば、上記レコード信号としては、デジタル圧縮信号であることが好ましい。例えば、上記放送コンテンツが映像情報であれば、ＪＰＥＧデータやＭＰＥＧデータ等を上記レコード信号として採用することができる。また、上記放送コンテンツが音声情報であれば、例えば、ＷＡＶデータ、ＭＰ３データ等を上記レコード信号として採用することができる。
【００２２】
なお、「上記出力手段に入力する上記入力信号として上記レコード信号を設定する」ことは、上記レコード信号そのものを上記入力信号とすることのほか、上記レコード信号を信号処理（変換）して得られる信号、すなわち、上記レコード信号に基づく別の信号を上記入力信号として間接的に設定することを含む広い概念を意味している。
【００２３】
上記出力手段としては、例えば、上記放送がテレビジョン放送である場合のディスプレイや、ラジオ放送である場合のスピーカなどを含むものがある。加えて、上記放送受信装置に電気的に接続する外部機器としてのディスプレイやスピーカなどに映像信号や音声信号を出力する出力回路等を、上記出力手段とすることもできる。この場合には、上記放送受信装置は、ディスプレイやスピーカなどの外部機器を介して、上記放送コンテンツが提示される。ここで、例えば、映像よりなる放送コンテンツを提示するとは、映像情報をディスプレイ等に表示することをいい、例えば、音よりなる放送コンテンツを提示するとは、音情報をスピーカ等を介して出力することをいう。
【００２４】
また、上記第１の記憶手段は、上記カレント時間が上記再生時間枠を経過した後、該再生時間枠に対応する上記レコード信号を消去するように構成してあることが好ましい（請求項２）。
この場合には、予定した上記再生時間枠に聴取等しなければ、リアルタイムの放送と同様、目的とする上記放送コンテンツを逃してしまうという適度の緊張感を聴取者等に作用できる。
【００２５】
例えば、上記放送コンテンツが語学講座等の学習講座である場合であって、かつ、聴取者等のモチベーションが十分に高くない場合には、特に有効である。すなわち、上記のような緊張感を伴う心理は、モチベーションが十分でない聴取者等に、上記学習講座等の放送コンテンツをきっちりと聴取等させるための強制力として良い方向に作用すると期待できる。
【００２６】
さらに、上記放送コンテンツが、例えば、幼児向けの娯楽番組であるような場合には、リアルタイムの放送と同様、上記再生時間枠が過ぎた後で上記レコード信号が消去されるという構成が、特に有効である。幼児等は、反復的に同じ遊びをしたり、アニメーション等の放送コンテンツを反復的に繰り返して視聴等する傾向があるからである。上記のように上記再生時間枠の経過後に上記レコード信号が消去されれば、例えば、幼児等が何度も何度も視聴等を繰り返すような好ましくない状況を未然に回避することができる。
【００２７】
また、上記再生時間枠に再生した上記レコード信号を保存するための消去キャンセルボタンを有しており、上記第１の記憶手段は、上記再生時間枠における上記レコード信号の再生中に上記消去キャンセルボタンが操作された場合を除いて、上記カレント時間が上記再生時間枠を経過した後、該再生時間枠に対応する上記レコード信号を消去するように構成してあることが好ましい（請求項３）。
【００２８】
この場合には、上記再生時間枠における上記レコード信号の再生中に上記消去キャンセルボタンを操作した場合に限って、上記レコード信号の消去を停止でき、そのまま保存できるという便利な機能が実現される。特に、上記再生時間枠に上記放送コンテンツを聴取等している途中（多くの場合は、終わり近くまで聴取等した後）であっても、上記消去キャンセルボタンを操作すれば当該放送コンテンツを始めから終わりまで全部、保存することができる。したがって、真に有用な放送コンテンツを厳選して、効率良く保存しておくことが可能になる。
【００２９】
また、上記放送受信装置は、上記出力手段の動作をオンオフするための出力スイッチを備えていると共に、上記カレント時間が上記再生時間枠内にあるときには、上記出力スイッチをＯＮ状態に設定して上記レコード信号を再生するように構成してあることが好ましい（請求項４）。
【００３０】
この場合には、上記再生時間枠において、聴取者等が上記放送コンテンツを確実性高く聴取等できる。例えば、上記再生時間枠を設定したことを忘れてしまった聴取者や、時間を勘違いしている聴取者等に対しても、確実性高く上記放送コンテンツを聴取等させることができる。例えば、上記放送コンテンツが、繰り返す程に効果が高くなる語学講座等の学習講座である場合には、確実性高く継続的に聴取等をさせることができ、上記語学講座等による学習効果を一層、高めることができる。
【００３１】
また、上記放送受信装置は、上記出力手段の動作をオンオフするための出力スイッチを備えていると共に、上記カレント時間が上記再生時間枠内にあり、かつ、上記出力スイッチがＯＮ状態に設定されていれば、上記レコード信号を再生するように構成してあることが好ましい（請求項５）。
【００３２】
この場合には、上記出力スイッチがＯＮ状態に設定されていることを前提として、上記再生時間枠に上記レコード信号を再生する。それ故、例えば、来客中であるとか、電話中であるとか、留守中である等、適切でないタイミングに不用意に上記レコード信号が再生されてしまうおそれを未然に防止することができる。
【００３３】
また、上記再生時間枠の先頭時間から所定の経過時間が経過し、上記カレント時間が上記再生時間枠の中途にあるときに上記出力スイッチがＯＮ状態に切り換えられた場合には、上記レコード信号の先頭位置を基準にして上記所定の経過時間分だけ進めた時間地点を、上記レコード信号の再生開始位置として設定するように構成してあることが好ましい（請求項６）。
【００３４】
この場合には、あたかも、リアルタイムの放送のごとく、上記再生時間枠において上記放送コンテンツを提示できる。特に、上記再生時間枠の先頭時間を経過して上記出力スイッチをＯＮ状態に切り換えた場合は、聴取者等は上記放送コンテンツの冒頭部分を逃してしまう。それ故、聴取等を予定する者は、時間通りにきっちりと聴取等を開始しなければいけないという適度な緊張感を感じることになる。
【００３５】
また、上記放送受信装置は、上記レコード時間枠が重複する２以上の複数の受信チャンネルを受信してそれぞれ上記復調信号を取得し得るように構成してあり、上記第１の記憶手段は、上記各復調信号にそれぞれ対応する上記レコード信号を、並列して記録し得るように構成してあることが好ましい（請求項７）。
【００３６】
この場合には、放送時間が重複しており、本来、聴取等が不可能な２以上の放送コンテンツの組み合わせについて、例えば、上記再生時間枠をずらして設定することで両方の上記放送コンテンツの聴取等が可能となる。さらに、例えば、リアルタイムの放送コンテンツを聴取等しながら、同時に放送される他の放送コンテンツを上記再生時間枠にタイムシフトさせるという設定も可能になる。
【００３７】
また、上記カレント時間が上記再生時間枠の所定時間前になったとき、予告情報を提示するように構成した予告手段を備えていることが好ましい（請求項８）。
この場合には、上記予告情報により上記提示時間枠が近づいたことを知らしめることで、聴取等のし忘れを未然に防止することができる。なお、上記予告情報としては、チャイム、「もうすぐ放送が始まります。」等の音声情報や、ＬＥＤ等の発光手段による光情報、バイブレータ機能等による振動情報などが考えられる。さらに、上記放送受信装置において放送コンテンツの提示が停止されている状態、すなわち、上記出力手段の機能が停止している状態に限って、上記予告手段が作用するように構成することも好ましい。
【００３８】
また、上記出力手段は、上記レコード時間枠と上記再生時間枠との時間長さの比率に応じて、上記レコード信号を再生する速度を変更するように構成してあることが好ましい（請求項９）。
この場合には、上記レコード時間枠と上記再生時間枠との長短によらず、予め、設定した上記再生時間枠の時間内で、きっちりと上記放送コンテンツの聴取等を終えることができる。例えば、聴取者等のスケジュール上、長時間を確保できない場合には、上記レコード時間枠に対して上記再生時間枠を短く設定しておくのが良い。
【００３９】
一方、例えば、上記放送コンテンツが、語学講座等の学習講座である場合には、ヒアリング力を補助することを目的として、上記レコード時間枠に対して上記再生時間枠を長く設定することも良い。この場合には、上記レコード信号の再生速度がゆっくりになり、例えば、上記語学講座等における外国語の発音を、正確に聞き取ることができる。
【実施例】
【００４０】
（実施例１）
本例は、ラジオ放送を受信する放送受信装置であるラジオ受信機１に関する例である。この内容について、図１〜図６を用いて説明する。
本例のラジオ受信機１は、予定された放送スケジュールに沿って送信されるラジオ放送を受信し、放送コンテンツ（ラジオ番組）を外部に提示するものである。
このラジオ受信機１は、図１に示すごとく、ラジオ放送を受信して復調信号を取得するように構成した受信手段１１と、復調信号をレコード信号として記録するための第１の記憶手段１３と、復調信号を取得し、レコード信号を記録するレコード時間枠を表すシフト元時間データと、レコード信号を再生する再生時間枠を表すシフト先時間データとのデータ組を含むタイムシフトデータを格納するための第２の記憶手段１６と、現在時刻を表すカレント時間を出力するように構成したタイマー手段１５と、復調信号又はレコード信号を選択的に入力して再生することにより、放送コンテンツを提示するように構成した出力手段１２と、該出力手段１２に対して入力する入力信号を切り換える切換手段１８とを有している。
【００４１】
この切換手段１８は、上記タイムシフトデータに基づく再生時間枠内にカレント時間があるときにレコード信号を上記入力信号として設定すると共に、カレント時間が再生時間枠外にあるときに復調信号を上記入力信号として設定するように構成してある。
さらに、上記第１の記憶手段１３は、上記タイムシフトデータに基づくレコード時間枠内にカレント時間があるときにレコード信号を記録するように構成してある。
以下に、この内容について詳しく説明する。
【００４２】
本例のラジオ受信機１は、ラジオ放送であるＡＭ放送を受信すると共に、ＭＰ３データを上記レコード信号として第１の記憶手段１３に記録するように構成してある。
なお、ラジオ放送としては、本例のＡＭ放送のほか、ＦＭ放送、短波放送などであっても良い。また、上記レコード信号としては、本例のＭＰ３データに代えて、ＷＡＶデータ等であっても良い。
【００４３】
ラジオ受信機１は、図１に示すごとく、上記の構成のほかに、復調信号をＭＰ３データに変換するためのＡ／Ｄ変換回路部１９１及びエンコーダ１９２、レコード信号であるＭＰ３データを元のアナログ信号に変換するためのデコーダ１９４及びＤ／Ａ変換回路部１９３、ラジオ受信機１の全体動作を制御する制御部１４、ユーザが操作するためのユーザインターフェース手段１７を備えている。
【００４４】
さらに、本例のラジオ受信機１は、図示しない２系統の電源系統を備えている。一方の電源系統は、常時電源であって、ラジオ受信機をコンセントに接続しているかぎり電力が供給されるものである。他方は、ユーザがオンオフするユーザ電源である。本例では、操作ボタンである出力スイッチ（図示略）の操作により、ユーザ電源がＯＮ状態又はＯＦＦ状態に設定されるようにしてある。なお、上記の常時電源をオンオフするためにユーザが操作するスイッチ等を、上記出力スイッチに加えて設けることも良い。
【００４５】
上記受信手段１１であるチューナ（以下、チューナ１１という。）は、制御部１４によりコントロールされて動作するように構成してある。すなわち、チューナ１１は、制御部１４から指定された時間に、指定された受信チャンネルを選局するように構成してある。
上記出力手段１２は、ユーザ電源のＯＮ−ＯＦＦスイッチとしての上記出力スイッチがＯＮ状態に設定されているときに動作し、出力スイッチがＯＦＦ状態に設定されているときに機能を停止するように構成してある。出力手段１２は、アナログオーディオ信号を増幅するオーディオアンプ１２１と、このオーディオアンプ１２１により駆動される外部スピーカ１２２とを組み合わせてなる。オーディオアンプ１２１は、制御部１４と電気的に接続されており、制御部１４のコントロールにより音量や、音質を調整できるように構成してある。
【００４６】
上記切換手段１８は、チューナ１１が出力する復調信号の電気的な伝達経路及び、オーディオアンプ１２１に入力する入力信号の電気的な伝達経路を切り換えるように構成してある。具体的には、切換手段１８は、チューナ１１が取得した復調信号をオーディオアンプ１２１に出力するか、Ａ／Ｄ変換回路部１９１に出力するかの切り換えを行うと共に、オーディオアンプ１２１の入力信号をチューナ１１から取り込むか、Ｄ／Ａ変換回路部１９３から取り込むかの切り換えを行うように構成してある。
【００４７】
Ａ／Ｄ変換回路部１９１は、切換手段１８を介してチューナ１１から取り込む復調信号（本例では、アナログオーディオ信号。）をサンプリングし、所定ビット長のデジタルオーディオ信号に変換するように構成してある。
エンコーダ１９２は、Ａ／Ｄ変換回路部１９１から取り込むデジタルオーディオ信号をデータ圧縮し、レコード信号としてのＭＰ３データを生成する。そして、エンコーダ１９２は、第１の記憶手段１３としての半導体メモリ（以下、適宜半導体メモリ１３と記載する。）の所定アドレスに、上記ＭＰ３データよりなるレコード信号を書き込むように構成してある。
【００４８】
一方、デコーダ１９４は、制御部１４が半導体メモリ１３から読み出したＭＰ３データよりなるレコード信号を取り込み、このＭＰ３データよりなるレコード信号に基づいて元のデジタルオーディオ信号を復元するように構成してある。そして、デコーダ１９４は、復元したデジタルオーディオ信号をＤ／Ａ変換回路部１９３に向けて出力するように構成してある。
【００４９】
このＤ／Ａ変換回路部１９３は、切換手段１８を介して、オーディオアンプ１２１と電気的に接続されている。Ｄ／Ａ変換回路部１９３は、デコーダ１９４から取り込むデジタルオーディオ信号を基にして、上記レコード信号に基づくアナログオーディオ信号を生成するように構成してある。そして、本例では、出力手段１２に入力する入力信号として、レコード信号に基づく上記アナログオーディオ信号を設定することにより、上記ＭＰ３データよりなるレコード信号を再生する。
【００５０】
半導体メモリ１３は、上記のごとく、エンコーダ１９２及びデコーダ１９４と電気的に接続してあると共に、制御部１４と電気的に接続してある。半導体メモリ１３は、エンコーダ１９２によるデータ書き込み及び、デコーダ１９４へのデータ出力が可能なように構成してあると共に、制御部１４によるデータ読み出し及びデータ消去が可能なように構成してある。なお、この半導体メモリ１３としては、データ書き込みとデータ読み出しとを並行して実行可能なものを採用することが好ましい。この場合には、上記レコード時間枠と上記再生時間枠とを時間的に一部重複して設定することが可能となり、本例のラジオ受信機１の使い勝手をさらに向上させることができる。
【００５１】
上記制御部１４は、ＣＰＵを中心として構成してある。制御部１４には、上記第２の記憶手段１６を兼用するＲＡＭ（以下、適宜ＲＡＭ１６と記載する。）と、制御プログラム等を格納したＲＯＭ１４１とを電気的に接続してある。
第２の記憶手段を兼用するＲＡＭ１６は、制御部１４をなすＣＰＵのワークメモリ領域を兼用するものである。この第２の記憶手段としてのＲＡＭ１６は、ユーザインターフェース手段１７を介して入力した設定データ、すなわち、上記レコード時間枠を表すシフト元時間データと上記再生時間枠を表すシフト先時間データとのデータ組などのタイムシフトデータを含む各種データを保存するように構成してある。なお、設定データとしては、上記のほか、受信チャンネルを指定する選局データや、ステレオあるいはモノラル等の受信モードを指定するデータなどがある。
【００５２】
制御部１４は、ＲＡＭ１６に格納された設定データに基づいて、チューナ１１、オーディオアンプ１２１及び切換手段１８のコントロールと、半導体メモリ１３へのデータ書き込みやデータ読み出しをコントロールするように構成してある。
なお、本例では、第１の記憶手段としての半導体メモリ１３に比べて、第２の記憶手段としてのＲＡＭ１６を小規模な記憶容量のものとしてある。また、本例では、第１の記憶手段１３と第２の記憶手段１６とを別部品として構成したが、これに代えて、第１の記憶手段１３と第２の記憶手段１６とを一体として構成することもできる。
【００５３】
ユーザインターフェース手段１７は、図１〜図３に示すごとく、液晶ディスプレイよりなる表示部１７１と、ラジオ受信機１の外表面に配設した操作ボタン１７２ａ〜１７２ｄを含む操作部１７２とを有する。本例の表示部１７１は、例えば、図２及び図３に示すごとく、ラジオ受信機１の各設定項目を表す項目表示１７１ｉや、各設定内容（設定変数）を表す設定表示１７１ｓや、選択対象を表すカーソル表示１７１ｃなどを、予めプログラミングされた手順に沿って順番に表示するように構成してある。
【００５４】
操作部１７２は、カーソル表示１７１ｃの表示位置を切り換える選択ボタン１７２ａと、設定表示１７１ｓの設定変数を減算するためのデクリメントボタン１７２ｂと、設定変数を加算するためのインクメントボタン１７２ｃと、選択項目や設定内容を確定させるための確定ボタン１７２ｄとを有している。
【００５５】
次に、上記のように構成されたラジオ受信機１において、上記レコード時間枠に録音した放送コンテンツを上記再生時間枠に時間シフトするタイムシフト放送の設定方法について、図２及び図３を用いて説明する。
まず、図２に示すごとく、表示部１７１に表示された機能選択画面において、「１  タイムシフト設定」なる項目表示１７１ｉを選択、確定して、図３に示すごとく、タイムシフト放送の設定画面に移行させる。
【００５６】
図３に示すごとく、「受信チャンネル」なる項目表示１７１ｉを選択、確定すると、カーソル表示１７１ｃが受信チャンネルを指定するチャンネル番号の設定表示１７１ｓに移動する（図３に示す状態。）。この状態で、デクリメントボタン１７２ｂ及びインクリメントボタン１７２ｃを適宜操作することで、目的とする受信チャンネルを表す番号を上記選局データとして入力する。
【００５７】
続いて、「シフト元」なる項目表示１７１ｉを選択することで、年月日を特定する数字を表す各設定表示１７１ｓ（図中、「シフト元」なる項目表示１７１ｉの下段に配置されたもの。）にカーソル表示１７１ｃを合わせる。この状態で、デクリメントボタン１７２ｂ及びインクリメントボタン１７２ｃを操作することで、年、月、日の各数字を入力する。さらに、年月日の設定と同様、レコード時間枠の先頭時間Ｔｒｓ及び終了時間Ｔｒｅを入力する。本例では、以上の操作手順により、レコード時間枠を表すシフト元時間データを入力した。なお、シフト先時間データについてもほぼ同様である。
【００５８】
本例では、単発で放送される放送コンテンツを想定して、年月日と時間枠を設定する場合の操作を説明したが、これに換えて、曜日と時間枠とを設定するように構成しても良い。さらに好ましくは、年月日入力と曜日入力とを選択的に切り換えできるように構成するのが良い。
【００５９】
なお、本例では、シフト先時間データとシフト元時間データとを連続的に入力して略同時に上記データ組を生成したが、これに代えて、上記シフト元時間データを入力して放送コンテンツの記録を予約しておき、後日、聴取等するスケジュールが決定してから上記シフト先時間データを入力して最終的に上記データ組を完成させることもできる。
【００６０】
次に、上記の選局データ、シフト元時間データ及びシフト先時間データよりなるデータ組を含むタイムシフトデータを設定したラジオ受信機１が、レコード時間枠において上記レコード信号を記録する動作について図４を用いて説明する。
まず、ステップＳ１０１において、有効なタイムシフトデータが有るかどうか、すなわち、レコード時間枠が設定されているかどうかを判断する。そして、有効なタイムシフトデータが設定されている場合には、ステップＳ１０２に移行し、レコード時間枠の先頭時間Ｔｒｓと終了時間Ｔｒｅとを取り込む。さらに、ステップＳ１０３では、レコード時間枠における受信チャンネルを指定する選局データを取り込む。
【００６１】
ステップＳ１０４では、タイマー手段から取り込んだカレント時間Ｔｃを判断する。カレント時間Ｔｃが上記先頭時間Ｔｒｓに到達するまで、待機状態を維持する。一方、カレント時間Ｔｃが先頭時間Ｔｒｓに略一致したとき、ステップＳ１０５に移行し、上記選局データに基づいて受信チャンネルを設定する。
【００６２】
その後、カレント時間Ｔｃが上記終了時間Ｔｒｅに到達するまで（ステップＳ１０７）、上記受信チャンネルを受信して復調信号を取得し、レコード信号として記録する（ステップＳ１０６）。一方、カレント時間Ｔｃが上記終了時間Ｔｐｅを過ぎたら（ステップＳ１０７）、ステップＳ１０８に移行し、受信チャンネルの受信を終了すると共にレコード信号の記録を終了する。
本例では、以上のような手順に従って、レコード信号を記録することによりレコード時間枠に放送された放送コンテンツを保存した。
【００６３】
次に、上記のごとくタイムシフト放送を設定したラジオ受信機１が、レコード時間枠に保存した放送コンテンツを再生時間枠に時間シフトして提示する動作について図５を用いて説明する。
まず、ステップＳ２０１において、タイムシフトデータがあるかどうか、すなわち、再生時間枠が設定されているかどうかを判断する。有効なタイムシフトデータが設定されている場合には、ステップＳ２０２に移行し、再生時間枠の先頭時間Ｔｐｓと終了時間Ｔｐｅとを取り込む。
【００６４】
ステップＳ２０３では、出力スイッチの状態を判断する。出力スイッチがＯＦＦ状態にあるときには、ステップＳ２１４に移行し、カレント時間Ｔｃを判断する。カレント時間Ｔｃが終了時間Ｔｐｅに至るまでの間、出力スイッチがＯＮ状態に切り換えられるのを待機する。その間、カレント時間Ｔｃが上記先頭時間Ｔｐｓの５分前に至ったときには、ステップＳ２２４に移行し、再生時間枠の予告音として「あと５分ほどで、タイムシフト放送を開始します。」という女声のアナウンスを発生する。これにより、出力スイッチの投入を促す。一方、ステップＳ２１４においてカレント時間Ｔｃがすでに上記終了時間Ｔｐｅを経過した場合には、ステップＳ２１０にジャンプし、上記再生時間枠に再生が予定されていたレコード信号を消去する。
【００６５】
ステップＳ２０３において、出力スイッチがＯＮ状態にある場合には、ステップＳ２０４に移行し、カレント時間Ｔｃの判断を行う。カレント時間Ｔｃが上記先頭時間Ｔｐｓに到達していなければ、その状態で待機する。
一方、カレント時間Ｔｃが先頭時間Ｔｐｓに到達しており、かつ、終了時間Ｔｐｅ以前であれば、ステップＳ２０５に移行し、出力手段の入力信号としてレコード信号に基づくアナログオーディオ信号（以下、適宜、単にレコード信号という。）を設定する。
【００６６】
ステップＳ２０６では、レコード信号の再生を開始するに当たって、レコード信号の再生開始位置を設定する。具体的には、レコード信号の先頭位置を基準として、（Ｔｐｓ−Ｔｃ）なるオフセット時間分だけ、時間を進めた位置に上記再生開始位置をセットする。すなわち、本例のラジオ受信機１においては、再生時間枠の中途で出力スイッチが投入された場合には、リアルタイムの放送と同様、放送コンテンツの途中から聴取が開始されるように設定してある。
【００６７】
ステップＳ２０７では、上記再生開始位置を開始位置として、レコード信号の再生を実施する。その後、カレント時間Ｔｃが上記終了時間Ｔｐｅに到達するまでの間（ステップＳ２０８）、レコード信号の再生状態を維持する（ステップＳ２０７）。一方、カレント時間Ｔｃが終了時間Ｔｐｅに到達した際（ステップＳ２０８）には、ステップＳ２０９に移行し、レコード信号の再生を終了する。本例では、その後、ステップＳ２１０において、レコード信号の消去を実施する。
本例では、以上のような手順に従って、半導体メモリ１３に記録したレコード信号を再生時間枠に再生することにより、放送コンテンツをタイムシフトして提示する。
【００６８】
以上のように本例のラジオ受信機１によれば、リアルタイムの放送スケジュールを自分仕様に組み替えることができる。すなわち、自分の都合に合うように設定した再生時間枠に、目的の放送コンテンツをタイムシフトすることができる。これにより、上記ラジオ受信機を用いれば、極めて効率良くラジオ放送の放送コンテンツを聴取することができる。
【００６９】
なお、上記レコード時間枠の時間長さ及び上記再生時間枠との時間長さは、同じ時間長さであっても、異なる時間長さであっても良い。レコード時間枠の時間長さと再生時間枠の時間長さとが一致している場合には、再生時間枠において、リアルタイムの放送と同じ再生スピードが実現される。一方、レコード時間枠の時間長さよりも再生時間枠の時間長さを短くした場合には、リアルタイムの放送よりも速い再生スピードでレコード信号を再生でき、聴取時間を短縮できる。例えば、放送コンテンツを聴取等する時間が十分に確保できない場合に有効である。レコード時間枠の時間長さよりも再生時間枠の時間長さを長くした場合には、リアルタイムの放送よりもゆったりした再生スピードでレコード信号を再生できる。例えば、語学放送等の放送コンテンツの場合、外国語の発音を聞き取りやすくなるという効果がある。
【００７０】
なお、本例では、カレント時間が再生時間枠を経過した後、レコード信号を自動的に消去するように構成したが、これに代えて、レコード信号を自動的に消去する機能を省略した放送受信装置であっても良い。
【００７１】
（実施例２）
本例は、実施例１のラジオ受信機を基にして、再生時間枠における放送コンテンツの提示方法を変更した例である。この内容について、図６を用いて説明する。
本例では、再生時間枠において自動的に出力スイッチを投入してレコード信号の再生を開始すると共に、再生後に出力スイッチを自動的にＯＦＦにする点で、実施例１と相違している。以下、実施例１との相違点を主として、本例の内容について説明する。
【００７２】
本例では、ステップＳ３０２において再生時間枠の先頭時間Ｔｐｓ、終了時間Ｔｐｅを取り込んだ後、ステップＳ３０３においてカレント時間Ｔｃを判断する。カレント時間Ｔｃが、再生時間枠の先頭時間Ｔｐｓよりも前であれば、ステップＳ３１４に移行する。その後、カレント時間Ｔｃが先頭時間Ｔｐｓの５分前になったとき、実施例１と同様、予告音を発生する（ステップＳ３２４）。ここで、本例と実施例１との相違点は、本例では、出力スイッチの設定状態に関わらず、必ず、先頭時間Ｔｐｓの５分前に予告音を発生するように構成した点である。これにより、例えば、リアルタイムの放送を聴取中にも、再生時間枠に予定された放送コンテンツに向けての準備等を促すことができる。
【００７３】
カレント時間Ｔｃが先頭時間Ｔｐｓに到達したら（ステップＳ３０３）、ステップＳ３０４に移行して出力スイッチの状態を判断する。出力スイッチがＯＦＦ状態であれば、ステップＳ３１５に移行し、出力スイッチをＯＮ状態に自動設定すると共に、内部変数であるＯＮフラグに値「１」をセットする。そして、出力スイッチがＯＮの状態でステップＳ３０５に移行し、出力手段の入力信号としてレコード信号を設定する。続いて、ステップＳ３０６において、レコード信号の再生開始位置として、レコード信号の先頭位置を設定する。
【００７４】
その後、ステップＳ３０７〜Ｓ３１０のごとく、レコード信号を再生し、再生終了後にレコード信号を消去する。さらにその後、ステップＳ３１１に移行し、上記ＯＮフラグを判断する。ＯＮフラグが「１」である場合には、出力スイッチが自動投入されたと判断し、元のＯＦＦ状態に自動切換（ステップＳ３１２）する。一方、ＯＮフラグが「１」以外であるときには、元から出力スイッチが投入されていたと判断して、出力スイッチはそのままにして、再生時間枠の経過後、出力手段に入力する入力信号に復調信号をセット（ステップＳ３２２）する。
【００７５】
以上のように、本例のラジオ受信機１は、再生時間枠がきたときに自動的にレコード信号の再生を開始する。それ故、再生時間枠を設定したこと自体を忘れていたり、時間を勘違いしている聴取者等に対して、保存した放送コンテンツの聴取等を促すことができる。
なお、その他の構成及び作用効果については、実施例１と同様である。
【００７６】
（実施例３）
本例は、実施例１のラジオ受信機を基にして、再生時間枠で再生したレコード信号を保存する機能を追加した例である。この内容について、図７を用いて説明する。以下、実施例１との相違点を中心にして、本例の内容について説明する。
本例では、再生時間枠におけるレコード信号の再生中（ステップＳ４０７）に、消去キャンセルボタンの操作状態を判断する（ステップＳ４１９）。そして、消去キャンセルボタンが操作された場合には、ステップＳ４２９に移行し、内部変数である保存フラグに値「１」をセットする。
【００７７】
レコード信号の再生終了後（ステップＳ４０９）、レコード信号を消去（ステップＳ４１１）する前に、ステップＳ４１０において保存フラグを判断する。そして、保存フラグが「１」である場合に限って、ステップＳ４１１を迂回し、レコード信号の消去を停止する。
【００７８】
以上のように、本例のラジオ受信機によれば、再生時間枠において放送コンテンツを聴取している間に消去キャンセルボタンを操作することにより、手軽に、その放送コンテンツ全部を保存することができる。特に、本例のラジオ受信機では、放送コンテンツの終わり近くまで、その内容を十分に吟味して、保存に値するか否かを判断することができる。それ故、自分にとって真に有用な放送コンテンツのみを、無駄なく保存することができる。
なお、その他の構成及び作用効果については、実施例１と同様である。
【００７９】
（実施例４）
本例は、実施例１のラジオ受信機１を基にして、タイムシフトデータを外部から取り込むように構成した例である。この内容について、図８を用いて説明する。
本例のラジオ受信機は、図示しない外部ＰＣとＵＳＢ接続できるように構成してある。そして、このＵＳＢ回線を介して、外部ＰＣでユーザが入力したタイムシフトデータを取り込むことができるように構成してある。
【００８０】
図８は、ラジオ受信機に入力するタイムシフトデータを生成するためのＰＣ表示画面３を示している。このＰＣ表示画面３は、各受信チャンネル（放送局）の放送スケジュールデータを示す日毎の放送タイムテーブル３０（図８では、奥行き方向に異なる日を示している。）と、聴取者の一週間の聴取スケジュールを表すマイスケジュール３１とを画面上の左右に配置してなる。
【００８１】
上記放送タイムテーブル３０は、縦方向に時間を、横方向の各列に放送局を規定した２次元チャートである。そして、この２次元チャート上には、各放送コンテンツの開始時間、終了時間及び受信周波数等のコンテンツデータを付与した枠オブジェクト３０１を複数、配置してある。その外観は、例えば、新聞のテレビ欄と良く似ている。本例の放送タイムテーブル３０とテレビ欄との相違点は、放送タイムテーブル上の各欄が、上記コンテンツデータを含む枠オブジェクト３０１として記述してある点である。この放送タイムテーブル３０としては、例えば、テレビジョン放送におけるＥＰＧ（Ｅｌｅｃｔｒｏｎｉｃ  Ｐｒｏｇｒａｍ  Ｇｕｉｄｅ）のような電子番組表などを利用することができる。
【００８２】
一方、マイスケジュール３１は、縦方向に時間を規定すると共に、横方向に曜日を規定した２次元のタイムチャートである。このマイスケジュール３１は、放送タイムテーブル３０に配置された枠オブジェクト３０１を自由に配置できるように構成してある。ＰＣ画面３上において、放送タイムテーブル３０上の枠オブジェクト３０１をドラッグし、マイスケジュール３１上における任意の曜日の任意の時間位置にドロップするという、例えば、マウス等のドラッグ＆ドロップ操作により、極めて簡単にレコード時間枠と再生時間枠とを設定することができる。
【００８３】
外部ＰＣは、マイスケジュール３１に配置された枠オブジェクト３０１のコンテンツデータを参照することにより、タイムシフトする放送コンテンツの各データ（選局データ、レコード時間枠を表すシフト元時間データなど。）を取り込むと共に、マイスケジュール３１が表す２次元タイムチャート上における枠オブジェクト３０１のロケーションに基づいて、再生時間枠を表すシフト先時間データを取り込むように構成してある。
【００８４】
以上のように、本例のラジオ受信機では、ＵＳＢ接続した外部ＰＣを利用して極めて効率良く、タイムシフトデータを設定することができる。
なお、その他の構成及び作用効果については、実施例１と同様である。
さらになお、本例のユーザインターフェースをラジオ受信機に組み込むことも良い。
【図面の簡単な説明】
【００８５】
【図１】実施例１における、ラジオ受信機の構成を示すブロック図。
【図２】実施例１における、機能選択画面を表示する表示部を示す正面図。
【図３】実施例１における、タイムシフト設定画面を表示する表示部を示す正面図。
【図４】実施例１における、レコード信号を記録する手順を示すフロー図。
【図５】実施例１における、レコード信号を再生する手順を示すフロー図。
【図６】実施例２における、レコード信号を再生する手順を示すフロー図。
【図７】実施例３における、レコード信号を再生する手順を示すフロー図。
【図８】実施例４における、タイムシフトデータ入力画面を表示するＰＣ表示画面を示す正面図。
【符号の説明】
【００８６】
１  ラジオ受信機（放送受信装置）
１１  受信手段（チューナ）
１２  出力手段
１３  第１の記憶手段（半導体メモリ）
１４  制御部
１５  タイマー手段
１６  第２の記憶手段（ＲＡＭ）
１７  ユーザインターフェース手段
１８  切換手段
【図１】
2006352809.tif 000003
【図２】
2006352809.tif 000004
【図３】
2006352809.tif 000005
【図４】
2006352809.tif 000006
【図５】
2006352809.tif 000007
【図６】
2006352809.tif 000008
【図７】
2006352809.tif 000009
【図８】
2006352809.tif 000010